(57)【要約】【課題】  操作盤における操作ボタンのボタントップや基板部を前面から取り替え可能とすることで、ボタントップや基板部の修理や取り替えに要する作業工程を短縮すること。【解決手段】  ボタントップを保持する操作子と、上面に照明手段、裏面に押しボタンスイッチを有する基板部と、前記操作子を摺動可能に挟持するボタン枠と、前記ボタン枠を嵌合係止するケースとを備えた操作ボタンユニットにおいて、前記基板部は上面を前記ボタントップ側にして前記操作子に保持され、前記ボタントップの押下により前記操作子は前記ケース内で摺動し、前記押しボタンスイッチが該ケースに接してオンすることを特徴とする。【選択図】      図２
2018181509.tif 000002
【特許請求の範囲】
【請求項１】
ボタントップを保持する操作子と、
上面に照明手段、裏面に押しボタンスイッチを有する基板部と、
前記操作子を摺動可能に挟持するボタン枠と、
操作面側からの前記ボタン枠の挿入により該ボタン枠を嵌合係止する一方、操作面側からこの嵌合係止を解除可能なケースと、
を備えた操作ボタンユニットであって、
前記基板部は上面を前記ボタントップ側にして前記操作子に保持され、
前記ボタントップの押下により前記操作子は前記ケース内で摺動し、前記押しボタンスイッチが該ケースに接してオンすることを特徴とする操作ボタンユニット。
【請求項２】
前記ケースは、操作盤に固定するための取付手段を備えていることを特徴とする請求項１に記載の操作ボタンユニット。
【請求項３】
ケース内側壁面には前記ボタン枠との係止位置に固定用突起が設けられ、その開口部から前記固定用突起に向けて所定の勾配で高さが高くなり、所定幅の平溝を有するガイド部を備え、
前記ボタン枠は、前記平溝の幅以下の幅の可撓性を有する連結部を備え、当該連結部はその先端近傍に前記ガイド部表面に沿って滑動する爪を有し、
前記連結部は前記係止位置で該連結部の復元力により前記平溝に嵌合すると共に、前記爪は前記固定用突起に係止することを特徴とする請求項２に記載の操作ボタンユニット。
【請求項４】
前面ネジ止め不要なフェースプレートと請求項２または３に記載の操作ボタンユニットを有する昇降機用操作盤であって、
前記操作ボタンユニットは、前記ボタントップの表面が露出するように前記ケースのみが前当該フェースプレートに固定されていることを特徴とする昇降機用操作盤。
【請求項５】
開口部を有する箱体と、請求項２または３に記載の操作ボタンユニットと、前記箱体の開口部を塞ぐバックパネルとを備えた昇降機用操作盤であって、
前記操作ボタンユニットは、前記ボタントップの表面が露出するように前記ケースのみが前記箱体の底に取り付けられており、前記箱体の底の裏面が操作盤の操作面となること特徴とする昇降機用操作盤。
【請求項６】
請求項１乃至３のいずれかに記載の操作ボタンユニットを保守する方法であって、嵌合係止状態にあるボタン枠とケースに対して、ボタン枠に沿う形状の薄板で可撓性を有する工具を前記ボタン枠と前記ケースとの間に挿入して前記嵌合係止状態を解除し、その後前記工具を引き抜くことにより前記工具と共に前記ボタン枠および当該ボタン枠に挟持された操作子を前記ケースから引き抜くことを特徴とする操作ボタンユニットの保守方法。
【発明の詳細な説明】
【技術分野】
【０００１】
本発明は、主にエレベータ等の昇降機や製造ラインなどで用いられる操作ボタンユニット、当該操作ボタンユニットを用いた昇降機用操作盤、および操作ボタンユニットの保守方法に関する。
【背景技術】
【０００２】
一般に操作ボタンユニットは、図１５に示すように、ケース８３に固定され、操作子７２の押圧を検知して作動する押しボタンスイッチ８２を有する基板部８１を備えている。また、ボタン（以下、「ボタントップ」という。）７３は操作子７２に嵌合保持されビス７６により固定される。そして、カバー７４、ボタントップ７３を保持した操作子７２およびケース８３は、図１６に示すように操作盤前面（操作面）のフェースプレート９０に固定ビス９２によって留められる。
【０００３】
以下、エレベータに用いられる操作ボタンユニットを例に、従来の操作ボタンユニット７１の構成を図１６を用いて詳述する。
【０００４】
操作ボタンユニット７１は、表面に行先階等の文字が印字されたボタントップ７３、透過性を有する素材で成型された操作子７２、ケース８３等で構成されている。ボタントップ７３と操作子７２の一部はフェースプレート９０から外部に露見している。ケース８３には、押しボタンスイッチ８２、コネクタ８５、ＬＥＤ（照明手段）８６等を搭載した基板部８１が装着されている。
【０００５】
ケース８３は、カバー７４の孔部７５を介してフェースプレート９０の突起部９１に嵌合した状態で、固定ビス９２により共締めされる。ボタントップ７３と操作子７２は固定ビス７６により固定されて一体として動作し、基板部の押しボタンスイッチ８２をオンさせる。
【０００６】
図１７は、従来の操作盤９５の構造の説明図である。操作ボタンユニット７１を装着したフェースプレート９０は、図１７に示すように箱体９３に固定ネジ９４によって留められる。
【０００７】
従来、ボタントップ７３が破損老朽化したり、内部の部品が故障した場合は、このフェースプレート９０を取り外し、操作ボタンユニット７１を交換することにより保守対応を行っていた。
【０００８】
この操作ボタンユニット７１内の部品の交換作業については、例えば引用文献１では、ボックスが備える突起部に操作パネルを保持することで、作業性を向上させる技術が提案されている。しかしながら、ボタントップや基板部を交換するような場合にも操作盤を開口する必要があり、十分な作業性の向上とはいえない。
【０００９】
引用文献２では、複数のフェースプレート部材を共通の平面を形成して容易に取り付けることができるとともに、フェースプレート部材の交換を容易に行えるエレベータ用かご操作盤に関する技術が提案されている。しかしながら、補強用部材やフェースプレート部材を構成するスイッチプレートなどの多数の部材を用意する必要があり、費用面の負担が大きいという問題がある。
【先行技術文献】
【特許文献】
【００１０】
【特許文献１】特開２００９−２７４８３５
【特許文献２】特開２００５−１７０５２１
【発明の概要】
【発明が解決しようとする課題】
【００１１】
本発明は上述のかかる事情に鑑みてなされたものであり、操作盤における操作ボタンのボタントップや基板部を前面（操作面）から取り替え可能にして、ボタントップや基板部の修理や取り替えに要する作業工程を短縮することのできる操作ボタンユニット、昇降機用操作盤および保守方法を提供することを目的とする。
【課題を解決するための手段】
【００１２】
上記目的を達成するため、本発明に係る操作ボタンユニットは、ボタントップを保持する操作子と、上面に照明手段、裏面に押しボタンスイッチを有する基板部と、前記操作子を摺動可能に挟持するボタン枠と、操作面側からの前記ボタン枠の挿入により該ボタン枠を嵌合係止する一方、操作面側からこの嵌合係止を解除可能なケースと、を備えた操作ボタンユニットであって、前記基板部は上面を前記ボタントップ側にして前記操作子に保持され、前記ボタントップの押下により前記操作子は前記ケース内で摺動し、前記押しボタンスイッチが該ケースに接してオンすることを特徴とする。ここで、操作面とは利用者がボタン操作を行う面をいう。
【００１３】
本発明では、操作子がボタントップと基板部を保持するようにして、ボタン枠はこの操作子を挟持した状態でケースに嵌合係止する構成をとる。この基板部は下側（ケース底方向）に押しボタンを備える。ボタントップの押下により操作子がケース底方向へ摺動し、押しボタンスイッチの頭がケース底に接してオンをする。
【００１４】
また、操作面側（ボタントップが露出した面）からボタン枠とケースとの嵌合係止状態を解除するので、ケースからボタン枠、操作子、および操作子に保持されているボタントップ、基板部を容易に取り出すことができる。
【００１５】
好ましくは、ケースのみが操作盤に固定するための取付手段を備えるようにすると良い。これにより、ケースの当該取付手段により操作盤に操作ボタンユニットを固定することができ、その一方で、保守対象のボタントップや基板部を操作面側から容易に交換することができる。
【００１６】
また本発明に係わる操作ボタンユニットは、ケース内側壁面には前記ボタン枠との係止位置に固定用突起が設けられ、その開口部から前記固定用突起に向けて所定の勾配で高さが高くなり、所定幅の平溝を有するガイド部を備え、前記ボタン枠は、前記平溝の幅以下の幅の可撓性を有する連結部を備え、当該連結部はその先端近傍に前記ガイド部表面に沿って滑動する爪を有し、前記連結部は前記係止位置で該連結部の復元力により前記平溝に嵌合すると共に、前記爪は前記固定用突起に係止することを特徴とする。
【００１７】
本発明では、係止位置に達するまでは、ボタン枠の連結部はその爪によりケースのガイド部表面上を滑動する。そして係止位置に達すると、連結部がその可撓性によりガイド部の平溝に嵌り、同時に連結部の爪がガイド部の固定用突起に引っ掛かり、ボタン枠はケースから抜けない状態になる。これにより、ボタン枠に挟持された操作子および操作子の保持するボタントップおよび基板部もケース内に保持される。
【００１８】
本発明に係わる昇降機用操作盤は、前面ネジ止め不要なフェースプレートと前記操作ボタンユニットを有する昇降機用操作盤であって、前記操作ボタンユニットは、前記ボタントップの表面が露出するように前記ケースのみが前当該フェースプレートに固定されていることを特徴とする。
【００１９】
また、本発明に係わる昇降機用操作盤は、開口部を有する箱体と、前記操作ボタンユニットと、前記箱体の開口部を塞ぐバックパネルとを備えた昇降機用操作盤であって、前記操作ボタンユニットは、前記ボタントップの表面が露出するように前記ケースのみが前記箱体の底に取り付けられており、前記箱体の底の裏面が操作盤の操作面となること特徴とする。これにより、操作面側に固定用ネジが露出せず、かつ操作面側からの保守が可能になる。
【００２０】
本発明に係わる操作ボタンユニットの保守方法は、嵌合係止状態にあるボタン枠とケースに対して、ボタン枠に沿う形状の薄板で可撓性を有する工具を前記ケースの前記ガイド部と前記ボタン枠の前記連結部との間に挿入して前記爪と前記固定用突起の嵌合係止状態を解除し、その後前記工具を引き抜くことにより前記工具と共に前記ボタン枠および当該ボタン枠に挟持された操作子を前記ケースから引き抜くことを特徴とする。
【００２１】
特に、ケース壁面のガイド部により、ケースの間口は開口部へ近づくにつれて広がるので、上記工具をガイド部と連結部との間に挿入するのみで、可撓性を有する連結部の復元力により工具の引き抜きに伴い、ボタン枠および当該ボタン枠の挟持する操作子も一緒に引き抜くことができる。
【００２２】
このガイド部と連結部の組み合わせは、ボタン中央を通る仮想直線上の対向する２箇所に設けるのが好ましい。そしてボタン枠外形に沿う形状の薄板の引き抜き工具の両端をこの２箇所のガイド部と連結部の間に挿入し、嵌合係止状態解除後に引き抜くことにより、当該引き抜き工具でボタン枠を挟持できるので確実かつ効率的に引き抜き作業を行うことができる。
【発明の効果】
【００２３】
以上の如く、本発明の操作ボタンユニットによれば、寿命品であるボタントップや基板部を前面（操作面）側から簡便な作業で取り替え可能になるので、作業工数の削減を図ることができる。
【図面の簡単な説明】
【００２４】
【図１】本発明の第１の実施形態による操作ボタンユニットの構成の概略説明図である。
【図２】本発明の第１の実施の形態による操作ボタンユニットの断面図であり、図２（ａ）はボタンを押下しないときの状態を示す図、図２（ｂ）はボタンを押下したときの状態を示す図である。
【図３】図２のボタン枠をケースに挿入する際の説明図であり、図３（ａ）は挿入途中の状態を示す図、図３（ｂ）は挿入完了後の状態を示す図である。
【図４】図２の操作ボタンユニットの保守に用いられる引抜工具の説明図であり、図４（ａ）は操作ボタンユニットを断面図で示した図、図４（ｂ）は全体斜視図である。
【図５】図４の引き抜き工具を用いて図２のケースからボタン枠を引き抜く際の説明図である。
【図６】図２の操作ボタンユニットを使用したときのエレベータホールでの保守作業の説明図である。（ボタン枠引き抜き作業前の様子を表す図）
【図７】図２の操作ボタンユニットを使用したときのエレベータホールでの保守作業の説明図である。（ボタン枠引き抜き作業中の様子を表す図）
【図８】図２の操作ボタンユニットを使用したときのエレベータホールでの保守作業の説明図である。（ボタン枠引き抜き作業後の様子を表す図）
【図９】図１の他の実施例による操作ボタンユニットの概略構成を示す図である。
【図１０】本発明の第２の実施の形態による昇降機用操作盤の構造説明図である。
【図１１】本発明の第２の実施の形態による昇降機用操作盤を操作面側から見た斜視図である。
【図１２】従来技術による操作ボタンユニットを用いたときのエレベータホールでの保守作業の説明図である。
【図１３】従来技術による操作ボタンユニットを用いたときのエレベータ籠内での保守作業の説明図である。
【図１４】本発明の第１の実施の形態による操作ボタンユニットを用いたときのエレベータ籠内での保守作業の説明図である。
【図１５】従来技術における操作ボタンユニットに用いられる部品の説明図である。
【図１６】図１５の操作ボタンユニットの構成を説明するための断面図である。
【図１７】従来技術による昇降機用操作盤の構造説明図である。
【発明を実施するための形態】
【００２５】
以下、本発明の第１の実施形態による操作ボタンユニットおよびその保守方法について図面を参照しながら説明する。
【００２６】
（操作ボタンユニットの構成）
図１は操作ボタンユニット１の構成の概略説明図である。この図において、操作ボタンユニット１は、ボタン枠１１、ボタントップ２１、操作子２２、基板部２３、およびこれらを収納するケース３０とで構成される。
【００２７】
ボタン枠１１と基板部２３は操作子２２に係合保持され、操作子部２０を構成する。すなわち、ボタントップ２１は、操作子２２の図中上方向から挿入され、操作子２２に係合保持される。基板部２３は、操作子２２の図中下方向から挿入され、操作子２２に係合保持される。ボタン枠１１は、その中心を通る仮想直線上両端に一定幅の平板状の連結部１２を有し、各連結部１２の先端には幅方向両側に爪１２ａを備えている。
【００２８】
図２（ａ）に操作子部２０を摺動可能に挟持したボタン枠１１とケース３０との嵌合状態での断面図を示す。ボタン枠１１はケース３０の内側に嵌合係止するようになっている。
【００２９】
ここで、基板部２３は、表面側（図中上側）にＬＥＤ（照明手段）４１が取り付けられ、裏面側（図中下側）にはスイッチ（押しボタンスイッチ）４２とコネクタ４３が取り付けられている。コネクタ４３は基板部２３のスイッチ４２やＬＥＤ４１の電気配線をケース３０外へ導出するものである。なお、各部品の電気的接続や配線については本発明とは関係なく、従来と同様であるため、説明を省略する。
【００３０】
ケース３０は操作盤２のフェースプレート９０に固定される。ケース３０内側の壁面には対向する位置にそれぞれガイド部５１が設けられ、その先端は固定用突起５１ａが形成されている。このガイド部５１の高さ（ケース壁面垂直方向の距離）は、ケース３０の底方向へ行くにしたがって固定用突起５１ａの高さまで一定の勾配で高くなっている。なお、この勾配は、ケース３０の底方向へ行くにつれて徐々に大きくなるようにしても良い。
【００３１】
また、ガイド部５１の中央には図中上下方向に平溝５１ｂが形成されている。この平溝５１ｂはボタン枠１１の連結部１２が嵌る幅を有している。なお、連結部１２先端両側の爪１２ａの間隔は、平溝５１ｂの幅よりも広く、両爪１２ａは平溝５１ｂには嵌らないように形成されている。このガイド部５１と連結部１２の組み合わせはボタン枠１１を中心として対称的にあるいは等間隔で２箇所以上設けるのが良い。以下の説明では、ガイド部５１と連結部１２の組み合わせを、ボタン枠１１の中心を通る仮想直線上の対向する２箇所に設けることとして説明する。
【００３２】
なお上述したガイド部５１は、見方を変えればケース３０内の壁面３１に連結部１２を嵌めるだけの幅を開けて平行に２つのガイド部５１を設けるということもできるが、本実施の形態では平溝５１ｂを備えたガイド部５１として説明する。
【００３３】
このガイド部５１は、ボタン枠１１の２つの連結部１２に対応させてそれぞれ設けられ、ボタン枠１１とケース３０とが嵌合状態にあるときは、連結部１２の爪１２ａはガイド部５１の固定用突起５１ａに係止する。その係止位置は、押しボタンスイッチ４２の頭がケース３０の底に軽く接触しているか僅かに離れている程度が望ましい。これにより、ボタンを押下しない状態では、操作子部２０は押しボタンスイッチ４２内のバネにより、ボタン枠１１内でガタツキが少なく安定位置を維持することができる。
【００３４】
ボタン枠１１とケース３０の嵌合状態で、ボタントップ２１が押下されたときは、図２（ｂ）に示すように操作子部２０は連結部１２およびガイド部５１の両外側壁面に沿って図中下方向へ摺動し、これに伴い、押しボタンスイッチ４２の頭がケース３０の底に押されスイッチ４２がオンする。そしてボタントップ２１の押圧が解かれたときには、押しボタンスイッチ４２の復元力により操作子部２０は上記安定位置へ復帰する。
【００３５】
（ボタン枠１１のケース３０への挿入時の動き）
次に図３を用いて操作子部２０を挟持したボタン枠１１のケース３０への挿入方法について説明する。
【００３６】
図３（ａ）は、操作子部２０を挟持したボタン枠１１をケース３０内へ挿入するときの途中の状態を示す説明図である。
【００３７】
ボタン枠１１の連結部１２の先端の両側に設けられた爪１２ａは、平溝５１ｂに嵌らないように形成されているためガイド部５１の表面を滑動する。また連結部１２は可撓性を有しており、挿入途中の段階では図のように内側に撓む。そして連結部１２の爪１２ａは、ガイド部５１に形成された固定用突起５１ａを超えると、図３（ｂ）に示すように連結部１２の撓みの復元力により固定用突起５１ａとの間で係止すると同時に連結部１２は平溝５１ｂに嵌合する。以上の作用によりボタン枠１１はケース３０に嵌合係止する。
【００３８】
この状態でボタントップ２１を押下したときは、ケース３０内の操作子部２０がケース奥方向へ摺動し、押しボタン４２の頭がケース底に押されてオンする。そして、ボタントップ２１の押下圧力を弱めると、押しボタンスイッチ４２内のバネの復元力により操作子部２０に保持されている基板部２３は図中上方へ移動し、押しボタン４２の押圧が解除される。
【００３９】
（保守方法）ボタン枠１１および操作子部２０の取り外し時の動き
次に図４、図５を用いてボタン枠１１および操作子部２０の取り外し方法について説明する。
【００４０】
ボタン枠１１および操作子部２０をケース３０から取り外す時は、図４（ａ）（ｂ）に示す引き抜き工具５５の先端をボタン枠１１の連結部１２とケース３０のガイド部５１の間に挿入する。この引き抜き工具５５は、平溝５１ｂよりも広い幅の可撓性を有する薄板金属のコの字形ないしＵ字形のブレードを用いることができる。なお引き抜き工具５５の両端はそれぞれボタン枠に沿う形状をしており、ボタン枠１１の幅（直径）の間隔で連結部１２の長さよりも十分に長い等長の平行部分を有しておれば足りその形状は特に問題とならない。
【００４１】
この引き抜き工具５５をある程度奥まで挿入すると、連結部１２の爪１２ａと固定用突起５１ａの係止が解かれる（図５（ａ））。そして、工具５５を引き抜くとこれに伴ってボタン枠１１およびこれに挟持された操作子部２０も一緒に持ち上がり、取り外すことができる（図５（ｂ））。これは、撓んだボタン枠１１の連結部１２がその復元力の反作用により一定勾配を有するガイド部５１から引き抜き工具５５を通して、上方向（ケース３０の開口部方向）への力を受けるからであると考えられる。したがって、引き抜き工具５５には特段にボタン枠１１ないし操作子部２０に係合する手段を設ける必要がない。単にボタン枠１１とケース３０の間に引き抜き工具５５の両端を差し込んで連結部１２の爪１２ａと固定用突起５１ａとの係止解除後に引き抜くのみでボタン枠１１は操作子部２０を挟持した状態で引き抜き工具５５の両端ブレードに載って簡単に持ち上げられるので作業性は格段に向上する。ボタン枠１１と操作子部２０の抜き取り後は、コネクタ４３を分離して操作子部２０のみを取り外すことができる（図５（ｃ））。
【００４２】
以上の如く、ボタン枠１１と操作子部２０の取り外し作業では、引き抜き工具５５を挿入してボタン枠１１とケース３０の係止状態を解除した後は、引き抜き工具５５を引き抜くだけでボタン枠１１と操作子部２０を抜き取ることができる。その後は保守に係るボタントップ２１や基板部２３を取り替え、または修理する。そして、再び基板部２３にコネクタ４３を接続して、操作子部２０を挟持した状態でボタン枠１１をケース３０に挿入し嵌合係止させて一連の保守作業を終える。
【００４３】
本実施の形態によれば、寿命品であるボタントップ２１や基板部２３のＬＥＤ４１や押しボタンスイッチ４２を操作面側から簡便な作業で取り替え可能になり作業工程の短縮を図ることができる。特に本実施の形態の操作ボタンユニット１をエレベータホールの操作盤に用いた場合には、図６〜図８に示すようにホールでの作業が可能になるので、エレベータシャフト内への立ち入り作業が不要となり、作業効率や安全性が向上する。
【００４４】
ちなみに、図６は保守作業前でありボタン枠１１と操作子部２０の引き抜き作業前の様子を示している。そして作業者は図７に示すように、引き抜き工具５５を保守対象の操作ボタンユニット１のボタン枠１１の連結部１２とケース３０のガイド部５１の間に挿入する。そして図８に示すように引き抜き工具５５を引き抜くとボタン枠１１が引き抜き工具５５に挟持された状態で引き抜かれる。このときボタン枠１１の挟持している操作子部２０はコネクタ４３が接続された状態で引き出されるので、作業者はコネクタを外すことによって操作子部２０を操作盤側の配線から分離する。
【００４５】
本発明は上述した実施の形態に限定されず、その要旨を逸脱しない範囲で種々変形して実施することができる。
【００４６】
例えば、ボタン枠１１が円形の場合は、ボタン枠１１とケース３０の開口部の一方に小さな突起を設け、他方にそれに嵌合する凹みを設けるようにしても良い。これによりボタン枠とケースの嵌合時に回転方向へのガタツキを抑えることができる。また、操作ボタンユニット１の交換時の引き抜き工具５５を挿入しやすいようにケース開口部付近の引き抜き工具先端の挿入スペースを多少広めにとるようにしてもよい。
【００４７】
上記の説明においてボタントップが円形のものを代表して説明したが、ボタンの形状はこれに限らず、たとえば、図９に示すような矩形その他任意の形状でであっても良い。
【００４８】
なお、上記の説明では、押しボタンスイッチ４２内のバネの復元力により操作子部２０を元の位置へ戻すこととして説明したが、押しボタンスイッチ４２のバネ力が弱い場合は、複数の押しボタンスイッチを設けるか、別にバネ等の弾性体を設けて復元力を補完するようにしても良い。特に押しボタンスイッチを複数設け、いずれかのスイッチがオンすると押下されたと判定することによりスイッチ単独の接点不良では誤不動作に至らず操作ボタンユニットの信頼度を上げることができる。また、複数の押しボタンスイッチのオンを検知したスイッチの数によりＬＥＤの明るさを変化させるようにしても良い。これにより、いずれかの押しボタンスイッチの不良の発生をボタントップを通して視認にすることができる。なお、複数の押しボタンスイッチのそれぞれに対応させてＬＥＤを設けるようにしても良い。
【００４９】
ＬＥＤの発光色を仕様に合わせ変更することで、多彩なデザイン（意匠）に対応することが可能となる。例えば、ボタン毎に点灯色を変えることで、操作盤の操作性の向上やデザイン性の向上が可能になる。
【００５０】
また、ボタントップの素材は樹脂等が用いられるが、金属にするなど素材を変えることにより、多彩な仕様（デザイン）に対応することが可能となる。例えば、操作盤の素材に合わせた仕様のボタントップを使用することが可能になる。
【００５１】
なお、上述した実施形態では、操作子部下側（基板部裏面側）に押しボタンスイッチを設け、ボタントップが押下されたときに操作子部をボタン枠の連結部に沿って摺動させるようにしているが、接触することでオンすることが可能なタイプのボタントップを用いて実現することも可能である。この場合は押しボタンスイッチは不要となり、また操作子部を摺動させる必要はない。
【００５２】
次に本発明の第２の実施形態について説明する。
本実施の形態は、第１の実施の形態の操作ボタンユニットを昇降機用操作盤に適用したものである。なお、昇降機用操作盤とは、いわゆるエレベータ籠内の操作盤のほか、各階ホールの操作盤も含む。
【００５３】
図１０は、本実施の形態による昇降機用操作盤２ａの構成説明図である。従来の操作ボタンユニットは、フェースプレート９０へ取り付けていたが、本実施の形態では、箱体９３側へ取り付けるようにした。これにより、箱体９３の底の裏面が操作面となる。箱体の開口部は開口状態でも良いが、バックプレート９６で覆うようにしても良い。
【００５４】
図１１は、箱体を操作面側から見た斜視図である。従来は、図１７に示すようにフェースプレート９０に操作ボタンユニット７１を装着し、このフェースプレート９０を箱体９３に取り付けていたので、フェースプレート９０にはその固定ネジ９４の頭が露出し、美観を損ねていた。しかしながら本実施の形態による昇降機用操作盤２は箱体９３側に操作ボタンユニット１を取り付けるので操作面側にネジの頭が露出しない。また、箱体９３の開口部は、そのまま開口した状態でも良いが、バックパネル９６（従来のフェースプレートと同じ構造）をネジ止めして開口部を塞ぐようにすれば、塵埃などの侵入を防ぐことができる。
【００５５】
この操作ボタンユニット１を用いることにより、操作面を昇降機内あるいは各階ホールの壁面と同一面にすることができる。
【００５６】
ところで、第１の実施の形態の操作ボタンユニット１の代わりに図１６に示す従来の操作ボタンユニット７１を箱体底へ装着することによっても、操作面側のネジの露出を回避することもできる。しかしながら、この場合、保守時にはバックパネル９６を開ける必要が生じる。例えば各階のエレベータホールにこの操作盤を設置したとすると、作業者は図１２に示すようにエレベータシャフト内に立ち入って、バックパネル９６を開けて操作ボタンユニット７１の交換作業をする必要があり、作業の危険性を伴う。また作業工数も大幅に増える。しかしながら、本実施の形態の操作ボタンユニット１を用いることにより、図６〜図８に示すように、引き抜き工具５５を用いて操作面側からの保守すなわちフロントメンテナンスが可能になるなので、従来の操作ボタンユニットを用いることに比べて作業の安全性の向上、作業時間の短縮を図ることができる。
【００５７】
（他の実施例）
特許文献１の図６に記載の操作パネルは端部が箱体側へ曲げられ支持機構により開閉する構造であるので、前面（操作面）にネジが露出しない構造であると考えられるが、この操作パネルに第１の実施の形態の操作ボタンユニット１を装着するようにしても良い。従来の操作ボタンユニット７１を使用する限り、特許文献１の操作盤は保守時に前面の操作パネルを開ける必要があり、そのために壁面と操作盤との間に扉を開くためのスペースを確保する必要がある。しかし、第１の実施の形態の操作ボタンユニットを用いれば扉を開けずにフロントメンテナンスが可能なので、壁面と操作盤との間にスペースを設ける必要がなく美観が向上する。
【産業上の利用可能性】
【００５８】
以上、エレベータなどの昇降機の操作盤を例に本発明に係る操作ボタンユニットの例を説明した。しかし、本発明はこれに限らず製造ラインの各装置の駆動制御用の操作盤など、押しボタンによって動作し、スイッチ状態を外部へ通知する用途に幅広く適用できることは言うまでもない。
【符号の説明】
【００５９】
１，７１    操作ボタンユニット
２，９５    操作盤
１１        ボタン枠
１２        連結部
１２ａ        爪
１２ｂ        基板部係止手段
２０        操作子部
２１，７３    ボタントップ
２２，７２    操作子
２３，８１    基板部
３０        ケース
３１        壁面
４２，８２    押しボタンスイッチ
４３，８５    コネクタ
５１        ガイド部
５１ａ        固定用突起
５１ｂ        平溝
５５        引き抜き工具
９０        フェースプレート
９３        箱体
９３ａ        箱体開口部
９６        バックプレート
【図１】
2018181509.tif 000003
【図２】
2018181509.tif 000004
【図３】
2018181509.tif 000005
【図４】
2018181509.tif 000006
【図５】
2018181509.tif 000007
【図６】
2018181509.tif 000008
【図７】
2018181509.tif 000009
【図８】
2018181509.tif 000010
【図９】
2018181509.tif 000011
【図１０】
2018181509.tif 000012
【図１１】
2018181509.tif 000013
【図１２】
2018181509.tif 000014
【図１３】
2018181509.tif 000015
【図１４】
2018181509.tif 000016
【図１５】
2018181509.tif 000017
【図１６】
2018181509.tif 000018
【図１７】
2018181509.tif 000019